(57)【要約】      （修正有）【課題】容器本体内部に残存する内容物を、最後まで完全に絞り出せる練状物取り出し容器を提供する。【解決手段】一端部を閉塞し、他端部に筒状の取出口３を有する容器本体１と該本体１の取出口３と螺合する蓋体２からなるチューブ状の容器本体１において、前記取出口３の両側部分Ｘを、テーパ状の肩部４に形成し、該テーパ状の先端部の口径は、取出口３の口径とを、同径の寸法としたことを特徴とする練状物取り出し容器から構成される。【選択図】図１
0003192194.tif 000002
【実用新案登録請求の範囲】
【請求項１】
一端部を閉塞し、他端部に筒状の取出口（３）を有する容器本体（１）と、該本体（１）の取出口（３）と係合する蓋体（２）からなるチューブ状の容器本体（１）において、  前記取出口（３）の両側部分（Ｘ）をテーパ状の肩部（４）に形成した
ことを特徴とする練状物取り出し容器。
【請求項２】
一端部を閉塞し、他端部に筒状の取出口（３）を有する容器本体（１）と、該本体（１）の取出口（３）と係合する蓋体（２）からなるチューブ状の容器本体（１）において、  前記取出口（３）の両側部分（Ｘ）をテーパ状の肩部（４）に形成し、
該テーパ状の肩部（４）の先端部（４ａ）の口径と、取出口（３）の口径とを、同径の寸法とした
ことを特徴とする練状物取り出し容器。
【考案の詳細な説明】
【技術分野】
【０００１】
この考案は、練状物取り出し容器に関するものである。
【背景技術】
【０００２】
従来、練り歯磨きや、ハンドクリーム等の練り状の化粧品等（以下、内容物という）を入れる容器は、大抵は、ラミネート加工されたシートを積層して構成されたチューブ状容器に充填され販売されている。
【０００３】
そして、このチューブ状容器の断面形状は、円状、楕円状等であり、このような容器より内容物を取り出して使用する際には、容器の一端部に形成した筒状の取出口に螺着した蓋体を、半時計方向にネジることにより開口しておき、内容物をチューブ状の容器の腹部分を押し、内容物を絞り出して使用している。
【０００４】
しかしながら、容器本体の取出口部分は、蓋体を開口・閉塞する際に容器本体に負荷がかかるため、それに耐えるようにするためには、堅牢な素材を用いて分厚く形成されており、この堅牢な素材の部分が硬くて押しても内容物を最後まで絞り出すことは出来なかった。
【０００５】
さらに、デザインに凝った容器であれば、尚更のこと、例えば、容器本体の取出口の両側部分を拡げ、図４に示すように形成されており、この肩部（Ａ）が硬くて堅牢な素材を使用しており、その肩部を押し潰して絞り出すことは不可能であった。
【０００６】
また、仮に、肩部を強引に押し潰すことが出来たとしても、内容物が左右方向に移動してしまい、取出口には集まらず、結局は取り出すことは出来なかった。
【０００７】
そのため、チューブ容器を完全に押し出しできる容器は存在した。例えば、特許文献１のように。
【先行技術文献】
【特許文献】
【０００８】
【特許文献１】実用新案登録第３０１７１７８号公報
【０００９】
しかし、このチューブ型押出容器は、チューブ形の容器内に球形の押出手段を入れており、容器の断面形状は円形のものに限定されるし、内容物を完全に外部に押し出す目的のためだけに、外部から取出口方向に向け、球形の押出手段が転動するように押し出すことは煩雑であり、容器本体内の内容物の容量が減り、容器本体の体積は増え、包装やコストの面で問題がある。
【考案の概要】
【考案が解決しようとする課題】
【００１０】
そこで、この考案の課題は、容器本体内部に残存する内容物を、最後まで完全に絞り出せる練状物取り出し容器を開発・提供することにある。
【課題を解決するための手段】
【００１１】
この考案は、上記の課題を解決すべく、鋭意研究を重ねた結果、内容物を最後まで綺麗に絞り出すことができる練状物取り出し容器を開発したものである。
【考案の効果】
【００１２】
この考案によると、容器本体の取出口付近の両側部をテーパ状に形成しており、また、テーパ状の肩部の先端部の径は、取出口の内径と同寸法にしたことにより、チューブ状の容器本体の腹部を押し出すことにより、残余の内容物は、取出口に向けたテーパ状の壁面に沿って取出口方向、あるいは先端部に案内され無理なく絞り出すことができ、最後まで絞り出して完全に使用できる等の極めて有益なる効果を奏するものである。
【００１３】
従って、従来のように残余の内容物が、容器本体の両側部、即ち，左右方向に移動してしまうことはなく、最後まで絞り出して完全に使用できる等の極めて有益なる効果を奏するものである。
【図面の簡単な説明】
【００１４】
【図１】この考案の一実施例を示す一部欠截正面図である。
【図２】この考案の一実施例を示し、（ａ）は、蓋部に螺合手段を用いた一部欠截拡大正面図であり、（ｂ）は、蓋部に嵌脱自在手段を用いた一部欠截拡大正面図である。
【図３】この考案の一実施例を示す正面図である。
【図４】従来例を示す一部欠截正面図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
先ず、この考案の一実施例を図１〜３に基づいて詳述すると、一端部を閉塞し、他端部に筒状の取出口（３）を有する容器本体（１）と、該本体（１）の取出口（３）と係合する蓋体（２）からなるチューブ状の容器本体（１）において、  前記取出口（３）の両側部分（Ｘ）をテーパ状の肩部（４）に形成し、該テーパ状の肩部先端部（４ａ）の口径と、取出口（３）の口径とを、同径の寸法としたことを特徴とする練状物取り出し容器から構成される。
【００１７】
尚、容器本体（１）のテーパ状の肩部（４）における肩部先端部（４ａ）に取出口（３）を設けない場合には、該先端部（４ａ）が取出口となるものである。
【００１８】
前記テーパ状の肩部（４）は、内容物の硬さに応じて異なった勾配角度（α）のテーパに形成させることを特徴とする練状物取り出し容器であり、また、内容物は歯磨き、化粧品に限らず、マヨネーズ、ケチャップ、からし、わさび等の食品を充填する容器としても応用できる。
【００１９】
また、容器本体（１）の取出口（３）と蓋体（２）とを係合するとは、図２（ａ）に示すように、容器本体（１）の取出口（３）と蓋体（２）とをネジを形成して螺合するよう構成したり、あるいは、図２（ｂ）に示すように、一方に突起、他方に凹部を形成し、突起部分を凹部に嵌脱自在に構成することである。
【００２０】
さらに、小児用の製品の蓋体（２）には、その表面には、小動物等のキャラクターを、また、大人用の製品の蓋体（２）には、花柄などのデザインをそれぞれプレス加工により製造してもよいものである。
【００２１】
尚、内容物が少なくなる都度、ストローを用い、容器本体内部を入れることにより、取出口付近に降下することにより取り出しをより可能にすることができる。
【産業上の利用可能性】
【００２２】
この考案の練状物取り出し容器の技術を確立し、実施することにより、産業上利用できるものである。
【符号の説明】
【００２３】
１  容器本体
２  蓋体
３  取出口
４  テーパ状の肩部
４ａ  テーパ状の肩部先端部
Ｘ  肩部の両側部分
α  勾配角度
【図１】
0003192194.tif 000003
【図２】
0003192194.tif 000004
【図３】
0003192194.tif 000005
【図４】
0003192194.tif 000006